(57)【要約】【課題】  従来の電設資材商品の管理をインターネットによって情報管理システムにする。【解決手段】  受注データ及び発注データが入力されている受発注基幹システムを介して商品の照会・注文・見積をインターネットにより操作する商品の情報管理システムにおいて、在庫照会受注納品照会・商品検索からなる照会機能と、新規発注・受注回答・注文書管理からなる注文保存機能と、新規見積・見積回答からなる見積系機能と、から構成されることを特徴とするインターネットによる電設資材商品の情報管理システムの提供。【特許請求の範囲】
【請求項１】
受注データ及び発注データが入力されている受発注基幹システムを介して、商品の照会・注文・見積をインターネットにより操作する商品の情報管理システムにおいて、在庫照会受注納品照会・商品検索からなる照会機能と、新規発注・受注回答・注文書管理からなる注文保存機能と、新規見積・見積回答からなる見積系機能と、から構成されることを特徴とするインターネットによる電設資材商品の情報管理システム。
【請求項２】
前項記載の情報管理システムにおいて、照会系機能がブラウザ起動・企業コード・ユーザＩＤ・パスワード入力・Ｍｉｔｓｓｔａｇｅトップページ表示からなるログインと、在庫商品一覧画面表示・商品名検索・在庫商品指定表示・商品番検索からなる在庫照会と、納品詳細照会画面表示・納品明細照会・検索結果表示からなる受注納品照会と、商品検索表示・商品情報表示からなる商品検索と、から構成される請求項１記載のインターネットによる電設資材商品の情報管理システム。
【請求項３】
請求項１記載の情報管理システムにおいて、注文系機能がログイン画面表示・トップページ・ログアウトからなるログインと、新規注文・商品入力・商品検索画面表示・検索結果表示・注文商品確定・在庫照会〜注文・注文書作成・結果表示からなる新規発注と、受注回答・受注回答表示からなる受注回答通知メールと、回答担当者管理・注文状態管理・注文書詳細情報表示・受注回答表示・履歴確認・受注回答履歴一覧画面表示からなる注文書管理と、商品検索〜ショッピングカート・在庫照会〜ショッピングカート・注文書〜ショッピングカート・見積書〜ショッピングカート・見積依頼管理〜ショッピングカート・ショッピングカートからなるショッピングカート機能と、から構成される請求項１記載のインターネットによる電設資材商品の情報管理システム。
【請求項４】
請求項１記載の情報管理システムにおいて、見積系機能がブラウザ起動・ログイン画面表示・トップページ表示からなるログインと、新規見積・商品入力・見積依頼作成・送信完了からなる新規見積と、見積依頼書管理・見積依頼管理画面表示・見積回答詳細情報表示からなる見積回答と、から構成される請求項１記載のインターネットによる電設資材商品の情報管理システム。
【発明の詳細な説明】
【技術分野】
【０００１】
本発明はインターネットによる情報管理システムに関するものであるが、詳しくは受注データ及び発注データが入力されている受発注基幹システムを介して、商品の紹介・注文・見積をインターネットにより操作する商品の情報管理システムに関するものがある。
【背景技術】
【０００２】
例えば、従来の管理システムには特開２００３−１９６７３８号公報で開示されている「商品販売データ管理システム」がある。この管理システムは店舗側及び顧客側における商品売買データ、すなわちポイント管理データ及び商品の売上／買上げデータを極めて容易に管理することができる商品売買データ管理システムを提供するものであり、その解決手段は又は複数のサーバと該サーバにデータ授受可能に接続された１又は複数のＰＯＳレジスタとを備え該サーバによって該ＰＯＳレジスタを管理する商品売買データ管理システムにおいて、前記サーバは通信によって携帯電話と商品売買データの授受を行うとともに前記ＰＯＳレジスタは、前記携帯電話に表示されたバーコードを介して該商品売買データの授受を行うところにある。
【特許文献１】特願２００３−１９６７３８号公報  この従来システムは、図１に示すように顧客はまず自分が所持する携帯電話３からサーバ１にアクセスして（ステップＳ１）、店舗側から予め付与された自分の暗証番号をサーバ１に送信する（ステップＳ２）。サーバ１は、受信した暗証番号に基づいて顧客本人であることを確認する（ステップＳ３）と携帯電話３からバーコードの表示又は顧客情報の表示の指示を待って顧客が買い物をする場合と、現時点におけるポイント数等のデータを参照する場合を選択する（ステップＳ４）。前者の場合、つまり顧客が買い物をしかつポイントサービスを受ける場合にステップＳ５に進み、サーバ１から携帯電話３に現在のポイント数等の商品売買データを表す二次元バーコードを送信する（ステップＳ５）。そして、顧客は携帯電話３をＰＯＳレジスタ２の担当者に差し出しバーコード読取機４で携帯電話３の表示画面に表示された二次元バーコードが読み取られる（ステップＳ６）。その結果、ＰＯＳレジスタ２は、二次元バーコードから顧客の商品売買に関するデータを認識して、例えばポイント数に基づく商品の値引き等の処理を実行する。この売買結果は、ＰＯＳレジスタ２からサーバ１に送られ、サーバ１で商品売買データが記録され管理される。
【０００３】
また後者の場合、つまり顧客が現時点におけるポイント数等のデータを参照する場合にステップＳ７に進み、サーバ１から携帯電話３に現在のポイント数等の商品売買データを送信され、顧客は携帯電話３の表示画面で現在のポイント数や買い物の履歴情報を参照することができる。その結果、顧客は携帯電話３からサーバ１にアクセスするだけで、いつでもサーバ１の顧客データベース５から自分の情報を参照することができる。
【０００４】
このような従来システムにすることによって、サーバ１で商品売買データを一括して管理することができるので、ＰＯＳレジスタ２ごとに商品売買データを管理する必要性がなくなり、商品売買データの管理体制が簡単かつ迅速になるという効果を奏でることができ、また店舗側では顧客カードを作成し配布する必要性がなくなり、これに要する時間及びコストを削減することができるという効果を奏することができる。更に店舗側では顧客の携帯電話番号を活用して、新規商品の宣伝広告やバーゲンセール等の案内を顧客の携帯電話にメールすることにより簡単かつ即座に知らせることができるので、顧客に対するダイレクトメールあるいはチラシなどの印刷物の作成や送付が不要になり顧客管理が容易になる。
【発明の開示】
【発明が解決しようとする課題】
【０００５】
このような従来システムは一般的な商品管理システムであり、主に携帯電話を介して商品の売買データを授受するところに特徴を有するものである。この携帯電話に代えてインターネットにより商品の情報管理をするとこに、本発明が解決しようとする課題がある。
【課題を解決するための手段】
【０００６】
本発明は上記の如き課題を解決するために開発したものであって、受注データ及び発注データが入力されている受発注基幹システムを介して商品の照会・注文・見積をインターネットにより操作する商品の情報管理システムにおいて、在庫照会受注納品照会・商品検索からなる照会機能と、新規発注・受注回答・注文書管理からなる注文保存機能と、新規見積・見積回答からなる見積系機能と、から構成されることを特徴とするインターネットによる電設資材商品の情報管理システムの提供にあり、また前記の情報管理システムにおいて照会系機能がブラウザ起動・企業コード・ユーザＩＤ・パスワード入力・Ｍｉｔｓｓｔａｇｅトップページ表示からなるログインと在庫商品一覧画面表示・商品名検索・在庫商品指定表示・商品番検索からなる在庫照会と納品詳細照会画面表示・納品明細照会・検索結果表示からなる受注納品照会と商品検索表示・商品情報表示からなる商品検索とから構成されるインターネットによる電設資材商品の情報管理システムの提供にあり、また前記の情報管理システムにおいて注文系機能がログイン画面表示・トップページ・ログアウトからなるログインと新規注文・商品入力・商品検索画面表示・検索結果表示・注文商品確定・在庫照会〜注文・注文書作成・結果表示からなる新規発注と受注回答・受注回答表示からなる受注回答通知メールと回答担当者管理・注文状態管理・注文書詳細情報表示・受注回答表示・履歴確認・受注回答履歴一覧画面表示からなる注文書管理と商品検索〜ショッピングカート・在庫照会〜ショッピングカート・注文書〜ショッピングカート・見積書〜ショッピングカート・見積依頼管理〜ショッピングカート・ショッピングカートからなるショッピングカート機能とから構成されるインターネットによる電設資材商品の情報管理システムの提供にあり、更に前記の報管理システムにおいて見積系機能がブラウザ起動・ログイン画面表示・トップページ表示からなるログインと新規見積・商品入力・見積依頼作成・送信完了からなる新規見積と見積依頼書管理・見積依頼管理画面表示・見積回答詳細情報表示からなる見積回答とから構成されるインターネットによる電設資材商品の情報管理システムの提供にある。
【発明の効果】
【０００７】
本発明は、受注データ及び発注データが入力されている受発注基幹システムを介して商品の照会・注文・見積をインターネットにより操作する商品の情報管理システムにおいて、在庫照会受注納品照会・商品検索からなる照会機能と、新規発注・受注回答・注文書管理からなる注文保存機能と新規見積・見積回答からなる見積系機能とから構成されることを特徴とするインターネットによる電設資材商品の情報管理システムであり、また前記の情報管理システムにおいて照会系機能がブラウザ起動・企業コード・ユーザＩＤ・パスワード入力・Ｍｉｔｓｓｔａｇｅトップページ表示からなるログインと在庫商品一覧画面表示・商品名検索・在庫商品指定表示・商品番検索からなる在庫照会と、納品詳細照会画面表示・納品明細照会・検索結果表示からなる受注納品照会と、商品検索表示・商品情報表示からなる商品検索とから構成されるインターネットによる電設資材商品の情報管理システムであり、また前記の情報管理システムにおいて注文系機能がログイン画面表示・トップページ・ログアウトからなるログインと新規注文・商品入力・商品検索画面表示・検索結果表示・注文商品確定・在庫照会〜注文・注文書作成・結果表示からなる新規発注と、受注回答・受注回答表示からなる受注回答通知メールと回答担当者管理・注文状態管理・注文書詳細情報表示・受注回答表示・履歴確認・受注回答履歴一覧画面表示からなる注文書管理と商品検索〜ショッピングカート・在庫照会〜ショッピングカート・注文書〜ショッピングカート・見積書〜ショッピングカート・見積依頼管理〜ショッピングカート・ショッピングカートからなるショッピングカート機能とから構成されるインターネットによる電設資材商品の情報管理システムであり、更に前記の情報管理システムにおいて見積系機能がブラウザ起動・ログイン画面表示・トップページ表示からなるログインと新規見積・商品入力・見積依頼作成・送信完了からなる新規見積と見積依頼書管理・見積依頼管理画面表示・見積回答詳細情報表示からなる見積回答とから構成される請求項１記載のインターネットによる電設資材商品の情報管理システムであるから、次のような多くの効果を有する。
ア、従来の電設資材商品の情報管理には携帯電話はもとよりインターネットによる電信管  理システムはなく、電話やファックスなどの通信手段で行っていた。しかし、本発明の  開発によって、すべての商品に関する情報管理システムを構築することが可能となった  。
イ、前記商品に関する情報管理システムのうち、特に電話資材商品の管理システムが立ち  遅れていたのが、本発明の提供によって他の商品同様に確実で効率的な商品管理をする  ことができるようになった。
ウ、具体的には今まで入手に時間のかかっていた情報が手軽でしかもタイムリーに得られ  、かつ必要な時に見つからないカタログや探すのに苦労していた商品情報がいつでも簡  単に取り出すことができるようになった。
エ、すなわち、本発明システムによってインターネットによる受発注が実現しスピーディ  ーな処理が可能となった。
【発明を実施するための最良の形態】
【０００８】
本発明の最良な実施形態は、受注データ及び発注データが入力されている受発注基幹システムを介して商品の照会・注文・見積をインターネットにより操作する商品の情報管理システムにおいて、在庫照会受注納品照会・商品検索からなる照会機能と新規発注・受注回答・注文書管理からなる注文保存機能と新規見積・見積回答からなる見積系機能とから構成されることを特徴とするインターネットによる電設資材商品の情報管理システムであるから、従来不可能・困難とされていた電設資材商品の情報管理を完全に通信システム化することができる。
【０００９】
また本発明の最良な実施形態は、前記の情報管理システムにおいて照会系機能がブラウザ起動・企業コード・ユーザＩＤ・パスワード入力・Ｍｉｔｓｓｔａｇｅトップページ表示からなるログインと在庫商品一覧画面表示・商品名検索・在庫商品指定表示・商品番検索からなる在庫照会と、納品詳細照会画面表示・納品明細照会・検索結果表示からなる受注納品照会と商品検索表示・商品情報表示からなる商品検索とから構成されるインターネットによる電設資材商品の情報管理システムであり、また前記の情報管理システムにおいて注文系機能がログイン画面表示・トップページ・ログアウトからなるログインと新規注文・商品入力・商品検索画面表示・検索結果表示・注文商品確定・在庫照会〜注文・注文書作成・結果表示からなる新規発注と受注回答・受注回答表示からなる受注回答通知メールと回答担当者管理・注文状態管理・注文書詳細情報表示・受注回答表示・履歴確認・受注回答履歴一覧画面表示からなる注文書管理と商品検索〜ショッピングカート・在庫照会〜ショッピングカート・注文書〜ショッピングカート・見積書〜ショッピングカート・見積依頼管理〜ショッピングカート・ショッピングカートからなるショッピングカート機能とから構成されるインターネットによる電設資材商品の情報管理システムであり、また前記の情報管理システムにおいて見積系機能がブラウザ起動・ログイン画面表示・トップページ表示からなるログインと新規見積・商品入力・見積依頼作成・送信完了からなる新規見積と見積依頼書管理・見積依頼管理画面表示・見積回答詳細情報表示からなる見積回答とから構成されるインターネットによる電設資材商品の情報管理システムであるから、商品画像データを中核とした電設資材の総合ｗｅｂサイト化されているので、今まで入手に時間がかかっていた情報が手軽でタイムリーに得られるようになる。
【実施例１】
【００１０】
以下、本発明システムの具体的な実施例について説明する。なお、実施例で示すシステムは本願出願人が独自に開発したシステムであるので、出願人の社名が表示されている資料で説明することにする。
【００１１】
まず、本発明に関する管理システムの全体像は表１に示すとうりである。
【００１２】
【表１】
2007164226.tif 000002
【００１３】
ついで、表２から表６により各システムの特徴についで説明する。
【００１４】
【表２】
2007164226.tif 000003
【００１５】
【表３】
2007164226.tif 000004
【００１６】
【表４】
2007164226.tif 000005
【００１７】
【表５】
2007164226.tif 000006
【００１８】
【表６】
2007164226.tif 000007
【００１９】
更に本発明システムの操作マニュアルについて説明する。まず表７から表１５により受発注サイトのうち照会系の操作マニュアルを示す。
【００２０】
【表７】
2007164226.tif 000008
【００２１】
【表８】
2007164226.tif 000009
【００２２】
【表９】
2007164226.tif 000010
【００２３】
【表１０】
2007164226.tif 000011
【００２４】
【表１１】
2007164226.tif 000012
【００２５】
【表１２】
2007164226.tif 000013
【００２６】
【表１３】
2007164226.tif 000014
【００２７】
【表１４】
2007164226.tif 000015
【００２８】
【表１５】
2007164226.tif 000016
【００２９】
次に、表１６から表３１により受発注サイトのうち注文系の操作マニュアルを示す。
【００３０】
【表１６】
2007164226.tif 000017
【００３１】
【表１７】
2007164226.tif 000018
【００３２】
【表１８】
2007164226.tif 000019
【００３３】
【表１９】
2007164226.tif 000020
【００３４】
【表２０】
2007164226.tif 000021
【００３５】
【表２１】
2007164226.tif 000022
【００３６】
【表２２】
2007164226.tif 000023
【００３７】
【表２３】
2007164226.tif 000024
【００３８】
【表２４】
2007164226.tif 000025
【００３９】
【表２５】
2007164226.tif 000026
【００４０】
【表２６】
2007164226.tif 000027
【００４１】
【表２７】
2007164226.tif 000028
【００４２】
【表２８】
2007164226.tif 000029
【００４３】
【表２９】
2007164226.tif 000030
【００４４】
【表３０】
2007164226.tif 000031
【００４５】
【表３１】
2007164226.tif 000032
【００４６】
更に、表３２から表３７により受発注サイトのうち見積の操作マニュアルを示す。
【００４７】
【表３２】
2007164226.tif 000033
【００４８】
【表３３】
2007164226.tif 000034
【００４９】
【表３４】
2007164226.tif 000035
【００５０】
【表３５】
2007164226.tif 000036
【００５１】
【表３６】
2007164226.tif 000037
【００５２】
【表３７】
2007164226.tif 000038
【図面の簡単な説明】
【００５３】
【図１】図１従来システムの処理フローを示した説明概要図。
【符号の説明】
【００５４】
１  サーバ                ２  ＰＯＳレジスタ                                    ３  携帯電話              ４  バーコード読取機
５  顧客データベース
【図１】
2007164226.tif 000039